(57)【要約】【課題】ダニ類の発生を抑えることができる害虫防除照明装置を提供する。【解決手段】害虫防除照明装置１０は、２６０〜３０５ｎｍの波長を含む光を出力する第１光源２４と、４９０〜５６５ｎｍの波長を含む光を出力する第２光源２５とを備え、各光源２４，２５から出力される光を植物体に照射する。【選択図】図１
2013236562.tif 000002
【特許請求の範囲】
【請求項１】
２６０〜３０５ｎｍの波長を含む光と、４９０〜５６５ｎｍの波長を含む光とを出力する光源を備え、該光源から出力される光を植物体に照射することを特徴とする害虫防除照明装置。
【請求項２】
請求項１に記載の害虫防除照明装置において、
前記光源からの光を前記植物体の葉の裏に照射することを特徴とする害虫防除照明装置。
【請求項３】
請求項１又は２に記載の害虫防除照明装置において、
前記光源は、２６０〜３０５ｎｍの光を、２〜５０μＷ／ｃｍ２の範囲で前記植物体に照射することを特徴とする害虫防除照明装置。
【請求項４】
請求項１〜３のいずれか一項に記載の害虫防除照明装置において、
前記光源は、４９０〜５６５ｎｍの光を、６〜７００ｌｘの範囲で前記植物体に照射することを特徴とする害虫防除照明装置。
【請求項５】
請求項１〜４のいずれか一項に記載の害虫防除照明装置において、
前記光源は、４９０〜５６５ｎｍの波長を含む光を出力した後に、２６０〜３０５ｎｍの波長を含む光を出力することを特徴とする害虫防除照明装置。
【請求項６】
請求項１〜５のいずれか一項に記載の害虫防除照明装置において、
前記光源は、日没から日出の間の所定時間帯に光を出力して前記植物体に光を照射することを特徴とする害虫防除照明装置。
【発明の詳細な説明】
【技術分野】
【０００１】
本発明は、害虫防除照明装置に関するものである。
【背景技術】
【０００２】
従来、植物体を栽培する上で、ハダニ類等の害虫が発生することが問題となっている。そこで、例えば特許文献１では、ハダニ類の天敵であるカブリダニを光によって誘引し、カブリダニによってハダニ類の駆除を実施している。
【先行技術文献】
【特許文献】
【０００３】
【特許文献１】特開２０１１−７２２００号公報
【発明の概要】
【発明が解決しようとする課題】
【０００４】
ところで、上記のような害虫防除方法では、カブリダニを誘引する必要があるが、カブリダニを特に誘引することなく、ハダニ類の発生を抑える照明装置の開発が望まれている。
【０００５】
本発明は、上記課題を解決するためになされたものであって、その目的は、ハダニ類の発生を抑えることができる害虫防除照明装置を提供することにある。
【課題を解決するための手段】
【０００６】
上記課題を解決するために、本発明の害虫防除照明装置は、２６０〜３０５ｎｍの波長を含む光と、４９０〜５６５ｎｍの波長を含む光とを出力する光源を備え、該光源から出力される光を植物体に照射することを特徴とする。
【０００７】
また上記構成において、前記光源からの光を前記植物体の葉の裏に照射することが好ましい。
また上記構成において、前記光源は、２６０〜３０５ｎｍの光を、２〜５０μＷ／ｃｍ２の範囲で前記植物体に照射することが好ましい。
【０００８】
また上記構成において、前記光源は、４９０〜５６５ｎｍの光を、６〜７００ｌｘの範囲で前記植物体に照射することが好ましい。
また上記構成において、前記光源は、４９０〜５６５ｎｍの波長を含む光を出力した後に、２６０〜３０５ｎｍの波長を含む光を出力することが好ましい。
【０００９】
また上記構成において、前記光源は、日没から日出の間の所定時間帯に光を出力して前記植物体に光を照射することが好ましい。
【発明の効果】
【００１０】
本発明によれば、ハダニ類の発生を抑えることができる害虫防除照明装置を提供することができる。
【図面の簡単な説明】
【００１１】
【図１】実施形態における害虫防除照明装置を備えた害虫防除照明システムの概略構成図である。
【図２】第１光源のスペクトルの特性図である。
【図３】第２光源のスペクトルの特性図である。
【図４】各条件Ａ〜Ｅと比較例１〜４とでの効果の違いについて説明するための説明図である。
【図５】害虫防除照明システムの電気的構成を説明するためのブロック図である。
【発明を実施するための形態】
【００１２】
以下、本発明を具体化した一実施形態を図面に従って説明する。
図１に示すように、本実態形態の害虫防除照明システムは、害虫防除照明装置１０と、この害虫防除照明装置１０と植物体Ｐを挟んで反対側に設けられる光反射部１１とを備える。
【００１３】
害虫防除照明装置１０は、柱状のポール２１の先端に照明本体部２２が取着されてなる。照明本体部２２は、略箱状のハウジング２３内に分光分布の異なる２種類の第１及び第２光源２４，２５を備える。
【００１４】
第１光源２４は、２６０〜３０５ｎｍの波長（ＵＶ光）を含む光を出力するものであり、本実施形態では図２に示すように２８０ｎｍがピーク波長となるように構成される。
第２光源２５は、４９０〜５６５ｎｍの波長（緑色光）を含む光を出力するものであり、本実施形態では図３に示すように５５０ｎｍがピーク波長となるように構成される。
【００１５】
図５に示すように、第１及び第２光源２４，２５は、タイマーＴと電気的に接続され、タイマーＴにより電源Ｓから第１光源２４又は第２光源２５への電力供給の可否が決定される。すなわち、第１及び第２光源２４，２５それぞれが個別の時間に電源Ｓからの電力供給可能となっている。
【００１６】
図１に示すように光反射部１１は、柱状の支持部３１に反射板３２が複数（図１では２つ図示）設けられる。この反射板３２は、第１光源２４及び第２光源２５の光を反射するものであり、ＵＶ光の反射には例えばアラノッド社のアルミ材を用い、緑色光の反射にはアラノッド社のミロ材、アルミ反射板、銀反射板、メラミン反射板を用いることができる。
【００１７】
上記のように構成された害虫防除照明装置１０は図示しない電源からの電力供給に基づいて、各光源２４，２５が点灯される。このとき、各光源２４，２５が少なくとも一方が点灯されると、植物体Ｐに照射されなかった一部の光が光反射部１１の反射板３２によって反射されて植物体Ｐに照射されることとなる。
【００１８】
［検証実験］
ここで、本発明者らは、害虫防除照明装置１０の各光源２４，２５の点灯時間及び点灯時間帯の違いによるハダニ類への効果を検証する実験を行った。なお、本評価実験で用いた害虫防除照明装置１０の各光源２４，２５の条件は以下に示す条件（Ａ）〜（Ｅ）及び比較例１〜４である。
【００１９】
・条件（Ａ）
第１光源２４は、ＵＶ照射量が２０μＷ／ｃｍ２で、２３時から１８０分間照射する。また、第２光源２５は、緑色光の照射量が１０ｌｘで、２２時から１８０分間照射する。
【００２０】
・条件（Ｂ）
第１光源２４は、ＵＶ照射量が３μＷ／ｃｍ２で、１８時から７２０分間照射する。また、第２光源２５は、緑色光の照射量が２００ｌｘで、１７時から６０分間照射する。
【００２１】
・条件（Ｃ）
第１光源２４は、ＵＶ照射量が５０μＷ／ｃｍ２で、２３時から６０分間照射する。また、第２光源２５は、緑色光の照射量が７００ｌｘで、２２時から６０分間照射する。
【００２２】
・条件（Ｄ）
第１光源２４は、ＵＶ照射量が２０μＷ／ｃｍ２で、第２光源２５照射終了後から３０分間照射する。また、第２光源２５は、緑色光の照射量が１０ｌｘで、２３時から３０分間照射する。
【００２３】
・条件（Ｅ）
第１光源２４は、ＵＶ照射量が５０μＷ／ｃｍ２で、２３時から６０分間照射する。また、第２光源２５は、緑色光の照射量が６ｌｘで、２２時から６０分間照射する。
【００２４】
（比較例１）
第１光源２４は、条件（Ａ）と同様の条件で照射する。また、第２光源２５は、緑色光の照射量が１０ｌｘで、２２時から１８０分間照射する。
【００２５】
（比較例２）
第１光源２４は、条件（Ａ）と同様の条件で照射する。また、第２光源２５は、緑色光の照射量が１０ｌｘで、２２時から１８０分間照射する。
【００２６】
（比較例３）
第１光源２４は、条件（Ａ）と同様の条件で照射する。また、第２光源２５は、緑色光の照射量が１０ｌｘで、２２時から１８０分間照射する。
【００２７】
（比較例４）
第１光源２４は、条件（Ａ）と同様の条件で照射する。また、第２光源２５は、緑色光の照射量が１０ｌｘで、２２時から１８０分間照射する。
【００２８】
［実験方法］
この検証実験では、先ず検証実験を行う前に、植物体Ｐ（きゅうり）を約１ｍ×１ｍ×１．５ｍ程度の透明容器Ｃａに入れ、通常の栽培を行う。植物体Ｐの栽培開始５〜７日目にハダニを５匹、植物体の下方の葉に投入して栽培を継続する。そして、ハダニを投入してから３日後に害虫防除照明装置１０を上記の条件で動作させる。なお、植物体Ｐ及び透明容器Ｃａはそれぞれ３つずつ用意し、これらの平均値で効果を確認した。効果の確認する内容は、ハダニの数、葉やけ及び葉やけ以外の植物体Ｐへの影響の３点であり、その結果を図４に示す。また、ハダニの確認方法としては、葉を拡大鏡を用いて目視で確認し、ハダニをあまり確認できない場合は「○」で示し、ハダニをほとんど確認できない場合は「◎」で示す。また、葉やけの確認方法は、葉やけを目視で確認し、１つの植物体Ｐに対して１〜２枚程度の葉やけを確認できる場合は「△」で示し、葉焼けがほとんど確認できない場合は「○」で示す。また、葉やけ以外の植物体Ｐへの影響の確認方法としては、目視で確認し、徒長等が発生するといった植物体Ｐへの影響がある場合には「×」で示し、植物体Ｐへの影響がない場合には「○」で示す。
【００２９】
［条件Ａ〜Ｅの評価結果］
ここで、比較例１の構成では、ハダニの数があまり確認できないことを示す「○」であるが、条件Ａ〜Ｅの構成では、ハダニの数がほとんど確認できないことを示す「◎」である。すなわち、第１光源２４のみでなく第２光源２５を照射することでハダニの数が減少されることが確認できる。また、第１光源２４は、条件Ａ〜Ｅの条件により、２６０〜３０５ｎｍの光を、２〜５０μＷ／ｃｍ２の範囲で前記植物体Ｐに照射することが好ましいことがわかる。
【００３０】
また、第２光源２５は、条件Ａ〜条件Ｅから、４９０〜５６５ｎｍの波長を含む光を、６〜７００ｌｘの範囲で前記植物体Ｐに照射することが好ましいことがわかる。これは、例えば比較例２及び３の緑色照射量が６ｌｘ未満（３及び４ｌｘ）であることで、ハダニの数が若干確認されるためである。また、例えば比較例４の緑色照射量が７００ｌｘより高い（８５０ｌｘ）であることで、ハダニの数が若干確認されるとともに植物体Ｐへの影響がでているためである。
【００３１】
次に、本実施形態の特徴的な効果を記載する。
（１）害虫防除照明装置１０は、２６０〜３０５ｎｍの波長を含む光を出力する第１光源２４と、４９０〜５６５ｎｍの波長を含む光を出力する第２光源２５とを備え、各光源２４，２５から出力される光を植物体に照射する。このような構成とすることで、第２光源２５の光によってハダニを誘引し、第１光源２４によってハダニにダメージを与えてハダニを減少させたり発生数を抑えたりすることができる。
【００３２】
（２）ハダニは葉の裏に発生し易いため、各光源２４，２５から出力される光を植物体Ｐの葉の裏に照射することで、より効果的にハダニ類の発生を抑えることができる。
（３）第１光源２４は、２６０〜３０５ｎｍの光を、２〜５０μＷ／ｃｍ２の範囲で前記植物体に照射する。このような構成とすることで、植物体Ｐの葉やけやその他の影響を与えることを抑えつつハダニの発生を抑えることができる。
【００３３】
（４）第２光源２５は、４９０〜５６５ｎｍの光を、６〜７００ｌｘの範囲で植物体に照射する。このような構成とすることで、植物体Ｐの葉やけやその他の影響を与えることを抑えつつハダニの発生を抑えることができる。
【００３４】
（５）第２光源により４９０〜５６５ｎｍの波長を含む光を出力した後に、第１光源により２６０〜３０５ｎｍの波長を含む光を出力する。このような構成とすることで、４９０〜５６５ｎｍの波長を含む光によってハダニを誘引してから２６０〜３０５ｎｍの波長によりハダニにダメージを与えることが可能となる。
【００３５】
（６）前記光源２４，２５は、日没から日出の間の所定時間帯に光を出力して植物体Ｐに光を照射する。このように第２光源２５によって緑色光を夜間に照射することによって、他の光が少ないためハダニの誘引効率向上に寄与できる。また、夜間は太陽光がなく、少ない光による反応が大きくなるため、ハダニ（特に成虫）の移動距離が長くなる、すなわちハダニへの照射時間が長くなる。このため、第１光源２４によってＵＶ光も夜間照射することで、より確実にハダニ類の発生を抑えることができる。また、夜間の場合には作業者がいないため、作業者にＵＶ光が照射されることを抑えることができる。
【００３６】
尚、本発明の実施形態は、以下のように変更してもよい。
・上記実施形態では、１つのハウジング２３内に第１光源２４及び第２光源２５を収容する構成としたが、これに限らない。例えば、第１光源２４を収容するハウジングと、第２光源２５を収容するハウジングとを個別に設ける構成を採用してもよい。
【００３７】
・上記実施形態では、第１光源２４及び第２光源２５の照射開始時間をずらしているが、第１光源２４及び第２光源２５の照射開始時間を同時刻としてもよい。また、第２光源２５の照射開始後に第１光源２４を照射することとしたが、第１光源２４の照射開始後に第２光源２５を照射する構成としてもよい。
【００３８】
・上記実施形態では、第１光源２４を図２に示すスペクトル特性となるような構成とし、第２光源２５を図３に示すスペクトル特性となるような構成としたが、これに限らない。また、光源の種類はＬＥＤに限らず蛍光灯やその他の光源とフィルタとの組合せによって第１光源２４や第２光源２５の波長帯の光を出力可能であれば特に限定されない。
【符号の説明】
【００３９】
１０…害虫防除照明装置、２４，２５…光源、Ｐ…植物体。
【図１】
2013236562.tif 000003
【図２】
2013236562.tif 000004
【図３】
2013236562.tif 000005
【図４】
2013236562.tif 000006
【図５】
2013236562.tif 000007